(57)【要約】【課題】小型化することで運搬収容が容易となり、また、ブラシの位置を移動可能にすることでどのようなサイズの踏み段に対しても全面を清掃することができる乗客コンベアの踏み段清掃装置を提供するものである。【解決手段】この発明に係る乗客コンベア踏み段清掃装置は、櫛板１に固定され上方に延びた支持体２と、この支持体２に回転自在に設けられ軸線方向が踏み段３の進行方向と直交したネジ棒４と、このネジ棒４に螺合して、ネジ棒４の回転によりネジ棒４の軸線方向に移動する移動体５と、この移動体５に設けられ、踏み段３の進行方向に延びた柄６と、この柄６の先端部に設けられ、踏み段３に接触するブラシ７とを備えている。【選択図】図１
2007217133.tif 000002
【特許請求の範囲】
【請求項１】
櫛板に固定され上方に延びた支持体と、
前記支持体に回転自在に設けられ、軸線方向が踏み段の進行方向と直交したネジ棒と、
前記ネジ棒に螺合して、前記ネジ棒の回転により前記軸線方向に移動する移動体と、
前記移動体に設けられ、前記進行方向に延びた柄と、
前記柄の先端部に設けられ、前記踏み段に接触するブラシと、
を備えたことを特徴とする乗客コンベアの踏み段清掃装置。
【請求項２】
前記柄は前記ネジ棒を軸にして回転可能であることを特徴とする請求項１に記載の乗客コンベアの踏み段清掃装置。
【請求項３】
前記ネジ棒の端部には、前記ネジ棒を回転させるハンドルが設けられていることを特徴とする請求項１または請求項２に記載の乗客コンベアの踏み段清掃装置。
【請求項４】
前記ハンドルは、前記ネジ棒の両端部に着脱可能であることを特徴とする請求項３に記載の乗客コンベアの踏み段清掃装置。
【請求項５】
前記ブラシは、前記先端部から着脱可能であることを特徴とする請求項１ないし請求項４の何れか１項に記載の乗客コンベアの踏み段清掃装置。
【請求項６】
前記支持体は、基部と、両端部が上方に延びた支え部とを有し、前記基部には、前記軸線方向に長径な調整孔が形成されていることを特徴とする請求項１ないし請求項５の何れか１項に記載の乗客コンベアの踏み段清掃装置。
【発明の詳細な説明】
【技術分野】
【０００１】
この発明は、乗客コンベアの踏み段を清掃する乗客コンベアの踏み段清掃装置に関する。
【背景技術】
【０００２】
従来の乗客コンベアの踏み段清掃装置として、踏み段とほぼ同じ幅のブラシ、吸込口および吸引装置接続用の吸出口を有する本体部と、この本体部を櫛板に固定する固定手段とを備えた乗客コンベアの踏み段清掃装置が知られている（例えば、特許文献１参照）。
【０００３】
【特許文献１】特開平７−２７７６６２号公報
【発明の開示】
【発明が解決しようとする課題】
【０００４】
しかしながら、このものの場合、乗客コンベアの踏み段とほぼ同じ幅のブラシを備えているので、装置全体が大型となり運搬収容および取り扱いが困難であった。
また、現行の踏み段の幅のサイズには複数種類のものがあるため、それぞれの乗客コンベアに適合した装置をそれぞれ用意しなければならないという問題点があった。
【０００５】
この発明は、上述のような問題点を解決することを課題とするものであって、その目的は、装置全体を小型化することで運搬収容が容易となり、また、踏み段上でのブラシの位置を移動可能にすることでどのような幅のサイズの踏み段に対しても全面を清掃することができる乗客コンベアの踏み段清掃装置を提供するものである。
【課題を解決するための手段】
【０００６】
この発明に係る乗客コンベア踏み段清掃装置は、櫛板に固定され上方に延びた支持体と、前記支持体に回転自在に設けられ、軸線方向が踏み段の進行方向と直交したネジ棒と、前記ネジ棒に螺合して、前記ネジ棒の回転により前記軸線方向に移動する移動体と、前記移動体に設けられ、前記進行方向に延びた柄と、前記柄の先端部に設けられ、前記踏み段に接触するブラシとを備えたものである。
【発明の効果】
【０００７】
この発明に係る乗客コンベア踏み段清掃装置によれば、装置全体の小型化により運搬収容が容易となり、また、ブラシの位置を移動可能にすることでどのような幅のサイズの踏み段に対しても全面を清掃することができる。
【発明を実施するための最良の形態】
【０００８】
実施の形態１．
図１はこの発明の実施の形態１に係るエスカレータの踏み段清掃装置の側面図、図２は図１の支持体２の正面図、図３は図１のネジ棒４および移動体５の要部拡大図、図４は図１のブラシ７および柄６の側面図、図５は図１の支持体２の要部拡大平面図である。
【０００９】
この乗客コンベアであるエスカレータの踏み段清掃装置は、櫛板１に固定され上方に延び断面コ字型をした支持体２と、この支持体２の上部に設けられ軸線方向が踏み段３の進行方向と直交したネジ棒４と、このネジ棒４に螺合してネジ棒４の回転により軸線方向に移動する移動体５と、この移動体５に固定され踏み段３の進行方向に延びた柄６と、この柄６の先端部に設けられ踏み段３と接触するブラシ７とを備えている。
【００１０】
支持体２は、櫛板１に面している基部２ａと、両端部が上方に延びた支え部２ｂと有している。図５に示すように、基部２ａには、ネジ棒４の軸線方向に長径な調整孔２ｃが４箇所に形成されている。
櫛板１と支持体２との間には、櫛板１と支持体２との隙間を埋めるスペーサー８が設けられている。
スペーサー８の櫛板１に面した部分には、スペーサー８を固定するための固定孔が４箇所に形成されている。
固定ネジ９が調整孔２ｃと固定孔とを貫通し櫛板１に螺着することにより、支持体２が櫛板１に固定されている。
支え部２ｂには、貫通した丸孔１０がそれぞれ対向して同一直線上に形成されている。それぞれの丸孔１０の内部には玉軸受け１１が組み込まれており、それぞれの玉軸受け１１を介して、ネジ棒４は支持体２に回転自在に保持されている。
【００１１】
移動体５には、筒形状をした筒部５ａが形成されており、この筒部５ａの内側面にはネジ溝が形成されている。このネジ溝により、移動体５はネジ棒４と螺合している。筒部５ａの一部には径方向外側に延びた固定ネジ棒５ｂが２本設けられている。
【００１２】
柄６には、軸の中心線を通ってネジ棒４の軸線方向と直交する方向に貫通したネジ孔が２個形成されている。このネジ孔には、固定ネジ棒５ｂが貫通し、外側からナット５ｃを締めることにより、柄６は移動体５に固定されている。
柄６の一端部には、図示しないバネが内部に設けられ、バネが閉じる方向に付勢したはさみ１２が取付けられている。
このはさみ１２にはブラシ７が把持されており、このブラシ７は、踏み段３に接触している。
【００１３】
ネジ棒４の両端部には、直方体形状をした直方体部４ａが形成されており、支持体２の外方向へ突出している。また、一方の直方体部４ａには、嵌合するように内部が四角形にくりぬかれた筒部１３ａを有するハンドル１３が設けられている。
【００１４】
次に、実施の形態１に係るエスカレータの踏み段清掃装置を用いた清掃手順について説明する。
【００１５】
まず、櫛板１から図示しない櫛を取り外し、スペーサー８を挟んで支持体２を櫛板１に取付ける。
移動体５を螺合させたネジ棒４を支持体２に取り付ける。さらに、先端部にはさみ１２を取付けた柄６を移動体５に取り付ける。
ネジ棒４の端部の直方体部４ａの何れか一方に、ハンドル１３を嵌合させる。
次に、はさみ１２にブラシ７を取り付け、ブラシ７を踏み段３に接触させ後、エスカレータを運転させる。
さらに、ハンドル１３を回して、ブラシ７の位置を踏み段３上で移動させ、踏み段３を清掃する。
また、踏み段３の汚れが強い場合には、ネジ棒４を軸にして柄６の踏み段３に対する角度を変え、ブラシ７の踏み段３にかかる圧力を調整して、不要物を除去する。
ハンドル１３を回して、支持体２の幅と対応する幅の踏み段３を清掃した後、調整孔２ｃから固定ネジ９を外して、支持体２を基部２ａの幅だけ移動させ、再度、調整孔２ｃに固定ネジ９を螺着させて清掃装置を固定して、踏み段３を清掃する。このとき、調整孔２ｃは長孔なので、支持体２の櫛板１に対する位置を微調整することができる。
清掃装置を順に踏み段３の進行方向と直交した向きへ移動させると、ブラシ７が踏み段３の端部に近づき、ハンドル１３が図示しないエスカレータの欄干等の障害物と接触する。その後は、ハンドル１３をネジ棒４の他方の端部の直方体部４ａへ取り替え、踏み段３の端部までブラシ７で清掃する。その結果、どのようなサイズの幅の踏み段３に対しても全面を清掃することができる。
【００１６】
以上説明したように、実施の形態１に係るエスカレータの踏み段清掃装置によれば、ブラシ７のサイズを踏み段３の幅に合わせる必要が無く、踏み段清掃装置を小型化できるので、運搬収容が簡単である。また、ブラシ７を踏み段３の走行方向と直交する方向に移動可能であるので、どのようなサイズの幅の踏み段３に対しても全面を清掃することができる。
【００１７】
また、柄６がネジ棒４を軸にして回転可能であるので、踏み段３に対する柄６の角度を変えることができ、踏み段３にかかるブラシ７の圧力を調整することができ、踏み段３の汚れが強い場合であっても、不要物を除去することができる。
【００１８】
また、ネジ棒４の端部にハンドル１３が設けられているので、踏み段３上でのブラシ７を簡単に移動することができる。
【００１９】
また、ハンドル１３はネジ棒４の両端部に着脱可能であるので、清掃装置が踏み段３の端部に近づいて、ハンドル１３がエスカレータの欄干等の障害物と接触する場合であっても、ハンドル１３をもう一方の端部に付け替え、踏み段３の端部まで清掃することができる。
【００２０】
また、ブラシ７は柄６の先端部から着脱可能であるので、ブラシ７を簡単に交換することが出来る。
【００２１】
また、支持体２の基部２ａには、踏み段３の走行方向と直交する方向に長径をもち貫通した調整孔２ｃが形成されているので、櫛板１に対して支持体２の固定する位置を微調整することができる。
【００２２】
なお、上記構成の実施の形態１では、乗客コンベアとしてエスカレータを例にして説明したが、勿論このものに限らず、例えば、動く歩道等であってもよい。
【図面の簡単な説明】
【００２３】
【図１】実施の形態１に係るエスカレータの踏み段清掃装置の側面図である。
【図２】図１の支持体の正面図である。
【図３】図１のネジ棒および移動体の要部拡大図である。
【図４】図１のブラシおよび柄の側面図である。
【図５】図１の支持体の要部拡大平面図である。
【符号の説明】
【００２４】
１  櫛板、２  支持体、２ａ  基部、２ｂ  支え部、２ｃ  調整孔、３  踏み段、４  ネジ棒、４ａ  直方体部、５  移動体、５ａ  筒部、５ｂ  固定ネジ棒、５ｃ  ナット、６  柄、７  ブラシ、８  スペーサー、９  固定ネジ、１０  丸孔、１１  玉軸受け、１２  はさみ、１３  ハンドル、１３ａ  筒部。
【図１】
2007217133.tif 000003
【図２】
2007217133.tif 000004
【図３】
2007217133.tif 000005
【図４】
2007217133.tif 000006
【図５】
2007217133.tif 000007